(57)【要約】【課題】加温されて内部圧力が上昇しても外観が大きく変化しないプラスチックボトルを提供する。【解決手段】プラスチックボトル１０は、口部１１と、肩部１２と、胴部２０と、底部３０とを備えている。胴部２０の全域に渡って、胴部２０の軸線Ｌに対して傾斜して延びる複数の傾斜溝２１が形成され、傾斜溝２１間に平滑面２２が形成されている。【選択図】図１
2015127210.tif 000002
【特許請求の範囲】
【請求項１】
プラスチックボトルにおいて、
口部と、
円筒形状をもつ胴部と、
口部と胴部との間に形成された肩部と、
胴部下方に連結された底部とを備え、
胴部全域に渡って胴部の軸線に対して傾斜して延びる複数の傾斜溝と、傾斜溝間の平滑面とが設けられていることを特徴とするプラスチックボトル。
【請求項２】
肩部には、各傾斜溝から延びるとともに胴部の軸線と平行に延びる垂直溝と、垂直溝間の平滑面とが設けられていることを特徴とする請求項１記載のプラスチックボトル。
【請求項３】
プラスチックボトルの高さは１００〜２００ｍｍ、胴径は５０〜７０ｍｍ、各傾斜溝の傾斜角は、胴部の軸線に対して１０°〜８０°傾斜していることを特徴とする請求項１または２記載のプラスチックボトル。
【請求項４】
プラスチックボトルの高さは１００〜２００ｍｍ、胴径は５０〜７０ｍｍ、各傾斜溝は、その深さが０．５ｍｍ〜４．０ｍｍとなっていることを特徴とする請求項１乃至３のいずれか記載のプラスチックボトル。
【請求項５】
プラスチックボトルの高さは１００〜２００ｍｍ、胴径は５０〜７０ｍｍ、胴部全域に渡って８〜３２本の傾斜溝が設けられていることを特徴とする請求項１乃至４のいずれか記載のプラスチックボトル。
【請求項６】
請求項１乃至５のいずれか記載のプラスチックボトルを成形するためのプリフォーム。
【発明の詳細な説明】
【技術分野】
【０００１】
本発明は、加温される液体食品を収容するプラスチックボトルに係り、とりわけ加温により内部圧力が上昇した場合でも、大きな外観上の変化を示すことがないプラスチックボトルに関する。
【背景技術】
【０００２】
近時、コーヒー、お茶等の液体食品を収容するボトルとして、プラスチック製のものが用いられ、このようなプラスチックボトルは液体食品を収容したのち加温されて液体食品を加温している。
【０００３】
このような液体食品を収容するプラスチックボトルは、全体として軽量化が求められている。また、プラスチックボトルの胴部のうち、とりわけラベルが貼付される上半部には円周方向溝部が形成され、下半部には圧力吸収パネルが形成される。しかしながらプラスチックボトルの軽量化に伴い、プラスチックボトルが加温されて内部圧力が上昇した場合、上半部では胴部が上下方向に膨張し、下半部では圧力吸収パネルが外方へ膨張するため、プラスチックボトルのとりわけ胴部の外観が大きく変化してしまう。
【０００４】
一方、歩留まりの向上およびコストダウンを図るため、プラスチックボトルの胴部全域にラベルをロール状に貼り付ける要請もある。
【先行技術文献】
【特許文献】
【０００５】
【特許文献１】実開昭５６−１１８８０６号
【発明の概要】
【発明が解決しようとする課題】
【０００６】
本発明はこのような点を考慮してなされたものであり、液体食品用のボトルとして薄肉のプラスチックボトルを用いた場合、プラスチックボトルに内容液を充填後に加温して内部圧力が上昇した場合でも、胴部に大きな外観上の変化が現われることがなく、かつラベルを胴部全域に貼り付けることができるプラスチックボトルを提供することを目的とする。
【課題を解決するための手段】
【０００７】
本発明は、プラスチックボトルにおいて、口部と、円筒形状をもつ胴部と、口部と胴部との間に形成された肩部と、胴部下方に連結された底部とを備え、胴部全域に渡って胴部の軸線に対して傾斜して延びる複数の傾斜溝と、傾斜溝間の平滑面とが設けられていることを特徴とするプラスチックボトルである。
【０００８】
本発明は、肩部には、各傾斜溝から延びるとともに胴部の軸線と平行に延びる垂直溝と、垂直溝間の平滑面とが設けられていることを特徴とするプラスチックボトルである。
【０００９】
本発明は、プラスチックボトルの高さは１００〜２００ｍｍ、胴径は５０〜７０ｍｍ、各傾斜溝の傾斜角は、胴部の軸線に対して１０°〜８０°傾斜していることを特徴とするプラスチックボトルである。
【００１０】
本発明は、プラスチックボトルの高さは１００〜２００ｍｍ、胴径は５０〜７０ｍｍ、各傾斜溝は、その深さが０．５ｍｍ〜４．０ｍｍとなっていることを特徴とするプラスチックボトルである。
【００１１】
本発明は、プラスチックボトルの高さは１００〜２００ｍｍ、胴径は５０〜７０ｍｍ、胴部全域に渡って８〜３２本の傾斜溝が設けられていることを特徴とするプラスチックボトルである。
【００１２】
本発明は、上記記載のプラスチックボトルを成形するためのプリフォームである。
【発明の効果】
【００１３】
本発明によれば、胴部全域に渡って胴部の軸線に対して傾斜して延びる複数の傾斜溝と、傾斜溝間の平滑面とが設けられているので、プラスチックボトルの内部圧力が上昇した場合、各傾斜溝が開くことでこの内部圧力が吸収される。このためプラスチックボトルの内部圧力が上昇しても、胴部の外観が大きく変化することはない。また胴部の平滑面を利用して胴部全域にラベルを貼り付けることができる。
【図面の簡単な説明】
【００１４】
【図１】図１は、本発明の一実施の形態によるプラスチックボトルを示す正面図。
【図２】図２は、本発明の一実施の形態によるプラスチックボトルを示す斜視図。
【図３】図３は、本発明の一実施の形態によるプラスチックボトルを示す底面図。
【図４】図４は、図１のＡ−Ａ線断面図。
【図５】図５（ａ）（ｂ）は、図４のＢ部拡大図。
【図６】図６は、比較例としてのプラスチックボトルを示す正面図。
【図７】図７は、比較例としてのプラスチックボトルを示す正面図。
【図８】図８は、本発明の一実施の形態によるプラスチックボトルを作製するためのプリフォームを示す図。
【発明を実施するための形態】
【００１５】
以下、図面を参照して本発明の一実施の形態について説明する。図１乃至図５は本発明の一実施の形態を示す図である。
【００１６】
まず、図１乃至図５により、本実施の形態によるプラスチックボトルの概要について説明する。
【００１７】
図１乃至図５に示すプラスチックボトル１０は、射出成形により得られるとともに、口部１１を有するプリフォーム１０Ａを準備し（図８参照）、このプリフォーム１０Ａに対して二軸延伸ブロー成形を施すことにより作製される。
【００１８】
このようなプラスチックボトル１０は、２００ｍｌの容積をもつ軽量のボトルからなっている。
【００１９】
プラスチックボトル１０は、口部１１と、口部１１下方に設けられた肩部１２と、肩部１２下方に設けられた胴部２０と、胴部２０下方に設けられた底部３０とを備えている。
【００２０】
また、胴部２０全域に、プラスチックボトル１０の胴部２０の軸線Ｌに対して傾斜した状態で延びる複数の傾斜溝２１と傾斜溝２１間の平滑面２２とが設けられている。
【００２１】
この場合、胴部２０全域に設けられた各傾斜溝２１は胴部２０に８本〜３２本設けられ、その深さが０．５ｍｍ〜４．０ｍｍとなっている。また各傾斜溝２１の軸線Ｌに対する傾斜角は１０°〜８０°となっている。また、プラスチックボトルの高さは１００〜２００ｍｍ、胴径は５０〜７０ｍｍとなっている。
また肩部１２には、胴部２０の各傾斜溝２１から連続して延びるとともに胴部２０の軸線Ｌに対して平行する垂直溝１３が設けられている。さらに肩部１２のうち、垂直溝１３間には平滑面１４が形成されている。
【００２２】
このように肩部１２に、胴部２０の傾斜溝２１から連続して延びる垂直溝１３を設けることにより、プラスチックボトル１０のうち、とりわけ肩部１２の座屈強度を高めることができる。
【００２３】
さらにまた、底部３０は周縁部３１と、中心部３３と、中心部３３から周縁部３１へ向かって放射状に延びる放射状リブ３２とを有している（図３参照）。
【００２４】
次にプラスチックボトル１０の胴部２０に設けられた傾斜溝２１について、図４および図５（ａ）（ｂ）により詳述する。
【００２５】
本実施の形態において、胴部２０全域に１２本の傾斜溝２１が設けられているが（図４および図５（ａ）（ｂ）参照）、この傾斜溝２１の本数は上述のように８本〜３２本の範囲の所望の本数に設定することができる。また各傾斜溝２１の深さは０．５ｍｍ〜４．０ｍｍに定められ、本実施の形態においては、例えば１．４ｍｍとなっている。
【００２６】
さらに各傾斜溝２１は、胴部２０外方に向って４０°〜１２０°、好ましくは９０°の開き角をもって形成されている。
【００２７】
また肩部１２の垂直溝１３の本数は、傾斜溝２１の本数と同一の１２本となっている。
【００２８】
このようなプラスチックボトル１０は、合成樹脂材料を射出成形して製作したプリフォームを二軸延伸ブロー成形することにより作製することができる。なおプリフォーム、すなわちプラスチックボトル１０の材料としては熱可塑性樹脂、特にＰＥ（ポリエチレン）、ＰＰ（ポリプロピレン）、ＰＥＴ（ポリエチレンテレフタレート）、ＰＥＮ（ポリエチレンナフタレート）、再生樹脂、生分解性樹脂を使用する事が好ましい。
【００２９】
また、プラスチックボトル１０は、２層以上の多層成形ボトルとして形成することもできる。すなわち押し出し成形または射出成形により、例えば、中間層をＭＸＤ６、ＭＸＤ６＋脂肪酸塩、ＰＧＡ（ポリグリコール酸）、ＥＶＯＨ（エチレンビニルアルコール共重合体）又はＰＥＮ（ポリエチレンナフタレート）等のガスバリア性及び遮光性を有する樹脂（中間層）として３層以上からなるプリフォームを押出成形後、吹込成形することによりガスバリア性及び遮光性を有する多層ボトルを形成しても良い。なお、このような中間層は、プラスチックボトル１０のうち少なくとも胴部２０内に設けることが好ましい。また底部３０において、底部３０の中央部３３を除く領域に中間層を設けることが好ましい。ケース落下等の衝撃を受けた際この部分がデラミ（層間剥離）を起こすおそれがあるからである。また、熱可塑性樹脂の溶融物に不活性ガス（窒素ガス、アルゴンガス）を混ぜることで、０．５〜１００μｍの発泡セル径を持つ発泡プリフォームを成形し、この発泡プリフォームをブロー成形することによって、プラスチックボトル１０を作製しても良い。このようなプラスチックボトルは、発泡セルを内蔵しているため、プラスチックボトル１０全体の遮光性を高めることができる。ガスバリア性及び遮光性を有する為に、多層にするだけでなく熱可塑性樹脂同士をブレンドしたブレンドボトルを形成しても良い。
【実施例】
【００３０】
次に本発明の具体的実施例について説明する。まず、図１乃至図５に示す高さ１３２ｍｍ、胴径５３ｍｍの２００ｍｌのプラスチックボトル１０を作製した。
【００３１】
この場合、射出成形により１８．３ｇのＰＥＴ単層プリフォームを作製し、このプリフォームに対して二軸延伸ブロー成形により２００ｍｌのプラスチックボトル１０を作製した。
【００３２】
また、プラスチックボトル１０の胴部２０に１２本の傾斜溝２１が設けられ、各傾斜溝２１の深さは１．４ｍｍとなっている。
【００３３】
さらに各傾斜溝２１は９０°の開き角をもって形成されている。後述のようにプラスチックボトル１０内に水を充てんし、その後湯煎した場合、傾斜溝２１の開き角は、例えば１１０°に拡大し、このことによりプラスチックボトル１０の胴部２０の外径を拡大させて、プラスチックボトル１０内圧を吸収することができる。
【００３４】
次に、得られたプラスチックボトル１０に水を充てんして密栓し、プラスチックボトル１０を湯煎により７５℃で６０分間加温した。その後プラスチックボトル１０の寸法測定を行なった。
【００３５】
また得られたプラスチックボトル１０に対し、水を充てんして密栓し、５９Ｎ荷重時側壁強度試験を実施した。また、得られたプラスチックボトル１０に対してラベルをロール状に貼り付け、その後外観検査を行った。
ここで、５９Ｎ加重時側壁強度試験とは、５９Ｎをプラスチックボトル１０に付与した場合のプラスチックボトル１０の胴径変化量をいう。
他方、比較例Ａとして、図６に示すような２００ｍｌのプラスチックボトル１０を作製した。図６に示すプラスチックボトル１０は口部１１と、肩部１２と、胴部２０と、底部３０とを備え、胴部２０には複数の圧力吸収パネル２５が設けられている。
【００３６】
また他の比較例Ｂとして、図７に示すような２００ｍｌのプラスチックボトル１０を作製した。図７に示すプラスチックボトル１０は口部１１と、肩部１２と、胴部２０と、底部３０とを備え、胴部２０には、円周方向全周に延びる複数の円周方向溝２６と、円周溝２６間の平滑面２７とが設けられている。
【００３７】
次に比較例Ａおよび比較例Ｂのプラスチックボトルに対して上記実施例と同様水を充てんして密栓し、プラスチックボトル１０を湯煎により７５℃で６０分間加温した。その後比較例Ａおよび比較例Ｂのプラスチックボトル１０の寸法検査を行なった。
【００３８】
また比較例Ａおよび比較例Ｂのプラスチックボトル１０に対し、水を充てんして密栓し、５９Ｎ荷重時側壁強度試験を実施した。
【００３９】
また、比較例Ａのプラスチックボトルおよび比較例Ｂのプラスチックボトルに対してラベルをロール状に貼り付けて、外観検査を行った。
次に本実施例によるプラスチックボトル、および比較例ＡおよびＢによるプラスチックボトルに対して実施された湯煎後の寸法検査、および水を充てんした後の５９Ｎ荷重時側壁強度試験、およびプラスチックボトルにラベルを貼り付けた後の外観検査の結果を各々表１に示す。
【表１】
2015127210.tif 000003
【００４０】
表１において、プラスチックボトルの高さ変形量は加温適性を判断する材料となり、高さ変形量が所定範囲に収まっている場合に加温適性を良好とした。
【００４１】
この場合、高さ変形量が所定範囲を超えると、自動販売機内でプラスチックボトルを横積みした場合に、プラスチックボトル同士が高さ方向で詰まってしまう。従って、高さ変形量の所定範囲は、プラスチックボトルを自動販売機内で横積みした際、プラスチックボトル同士が高さ方向で詰まらない範囲となる。
また５９Ｎ荷重時側壁強度は、自動販売機内で取扱う適性を判断する材料とした。
【００４２】
さらにロールラベルの貼付状態が悪い場合、プラスチックボトルの周方向変化が不均一となっていると判断した。この場合、ロールラベル適性は不良となる。
【００４３】
（加熱適性）
表１からわかるように、本実施例におけるプラスチックボトル１０は胴部２０に傾斜溝２１が形成されているため、湯煎後プラスチックボトル１０の内部圧力が上昇した場合、胴部２０の傾斜溝２１の開き角が９０°から例えば、１１０°まで拡大し、傾斜溝２１が開いた。このことによりプラスチックボトル１０の胴部２０の外径が拡張してプラスチックボトル１０の内部圧力が吸収された。このようにプラスチックボトル１０の内部圧力が上昇した場合、胴部２０の傾斜溝２１が開くため、胴部２０は半径方向にバランス良く拡張する。同時に胴部２０は周方向に均一性をもって伸びる。またプラスチックボトル１０の高さは、わずかに減少するが、全体として外観が変化することはなく、加温適性は良好である。
【００４４】
一方、比較例Ａのプラスチックボトル１０では湯煎後にプラスチックボトル１０の内部圧力が上昇した場合、胴部２０の圧力吸収パネル２５が半径方向外方へ大きく膨張するが、その高さ変形はわずかであった。このため比較例Ａのプラスチックボトル１０の加温適性は良好である。
【００４５】
また比較例Ｂのプラスチックボトル１０では湯煎後にプラスチックボトル１０の内部圧力が上昇した場合、胴部２０の円周方向溝２６が開いて、プラスチックボトル１０の高さが大きく増加した。このため、加温適性は不良とした。
【００４６】
（自動販売機適性）
また５９Ｎ荷重時側壁強度については、本実施例、比較例Ａおよび比較例Ｂのプラスチックボトル１０のいずれもが良好な値を示した。このため、本実施例、比較例Ａおよび比較例Ｂの自動販売機適性は良好であった。
【００４７】
（ロールラベル適性）
また本実施例および比較例Ｂにおけるプラスチックボトル１０は、比較例Ａのプラスチックボトル１０に比べて圧力吸収パネルをもっておらず、またいずれも平滑面２２および平滑面２７を有しているため、ラベルをロール状に確実に貼り付けることができた。また本実施例および比較例Ｂのプラスチックボトル１０は、湯煎後に周方向に均一に膨張するため、本実施例および比較例Ｂにおけるプラスチックボトル１０において、湯煎後のラベルの貼付状態は良好であり、この結果、ロールラベル適性は良好と判断した。
【００４８】
一方、比較例Ａにおけるプラスチックボトル１０は圧力吸収パネル２５をもっているため、ラベルをロール状に貼り付けることが不可能であった。
【符号の説明】
【００４９】
１０  プラスチックボトル
１１  口部
１２  肩部
１３  垂直溝
１４  平滑面
２０  胴部
２１  傾斜溝
２２  平滑面
３０  底部
３１  周縁部
３２  放射状リブ
３３  中央部
【図１】
2015127210.tif 000004
【図２】
2015127210.tif 000005
【図３】
2015127210.tif 000006
【図４】
2015127210.tif 000007
【図５】
2015127210.tif 000008
【図６】
2015127210.tif 000009
【図７】
2015127210.tif 000010
【図８】
2015127210.tif 000011